(57)【特許請求の範囲】
【請求項１】
紐（２）の一端（２ａ）を掛ける切り欠きａ（１１）と紐（２）の他端（２ｂ）を掛ける切り欠きｂ（１２）を有し、切り欠きａ（１１）に掛けた紐（２）の一端（２ａ）を掛止するスリットａ（１３）及び切り欠きｂ（１２）に掛けた紐の他端（２ａ）を掛止するスリットｂ（１４）を形成した紐結合部材において、紐結合部材は、平板状の紐結合部材本体（１）を折線（２２）で折り曲げて形成したものであり、紐結合部材本体（１）を折り曲げた時に切り欠き同士、スリット同士が重なって、切り欠きで前記切り欠きａ（１１）、切り欠きｂ（１２）、スリットａ（１３）、スリットｂ（１４）が形成されるように、切り欠き、スリットを折線に対して対称に配置したことを特徴とする紐結合部材
【発明の詳細な説明】
【０００１】
【発明の属する技術分野】
本発明は物品を結束する際、紐を掛けて結ぶ代わりに結合部材を用いて紐を結合するものに関する。
【０００２】
【従来の技術】
一般に被結束物を結束するときは紐を用いて被結束物を十字方向にくくって縛るが結合手段としては結ぶか、特開２０００−１６８７１８の緊締装置などを使用する方法がある。
【０００３】
【発明が解決しようとする課題】
しかし、被結束物である古新聞など重ねて縛る場合は、重なりの隙間を少なくするため押さえたりして縛ろうとするが、現実には結ぶときに緩みが生じたり正しく結ばないと解けてしまい荷崩れを生じたりすることもある。
このような、欠点の解消する手段として特開２０００−１６８７１８の緊締装置が発明されている。
しかしながら前記緊締装置は片方に、くびり部を付ける事が必要であり不器用な人にはなじめない部分があった。
そこで本発明は結びや、くびり部を必要とすることなく簡単に結合することの出来る紐結合部材を提供することを目的とする。
【０００４】
【課題を解決するための手段】
上記問題点を解決するために本発明の紐結合部材は平板上に紐の一端を掛ける切り欠き及び掛止するスリットを設け、また紐の他端も同様に切り欠きと掛止するスリットを設け紐を結ぶことなく結合できるようにしたものである。
【０００５】
本発明は被結束物（３）に一般に行われているように紐（２）を十字に掛け結び目にあたる箇所を平板状の紐結合部材本体（１）で結合するものである。
（実施の形態１）
以下、本発明の実施形態１における紐結合部材について説明する。
図１（ａ）は本発明の実施形態１における被結束物（３）を紐（２）で縛り結合部材本体（１）で結合した斜視図、図1（ｂ）は紐結合部材本体（１）の斜視図、図１（ｃ）（ｄ）（ｅ）（ｆ）は紐結合部材本体（１）への紐を結合する手順を示した斜視図である。
本発明の紐結合部材は展開状態から二つ折にして使用する。図２（ａ）は本発明の紐結合部材の展開時の斜視図、図２（ｂ）は使用状態に折り曲げている紐結合部材の斜視図である。
紐結合部材本体ａ（１ａ）と紐結合部材本体ｂ（１ｂ）には折線（２２）を対称として切り欠きやスリットが設けてある。
折線（２２）に沿って折り曲げると対称に設けられた切り欠きａ１（１１ａ）は切り欠きａ２（１１ｂ）と、切り欠きｂ１（１２ａ）は切り欠きｂ２（１２ｂ）と、スリットａ１（１３ａ）はスリットａ２（１３ｂ）と、スリットｂ１（１４ａ）はスリットｂ２（１４ｂ）と、面取りａ１（１７ａ）は面取りａ２（１７ｂ）と、面取りｂ１（１８ａ）は面取りｂ２（１８ｂ）と小穴ａ１（１５ａ）は小穴ａ２（１５ｂ）と、小穴ｂ１（１６ａ）は小穴ｂ２（１６ｂ）が重なる。
図1（ｂ）は紐結合部材本体の斜視図、図１（ｃ）（ｄ）（ｅ）（ｆ）は紐結合部材本体（１）への紐を結合する手順を示した斜視図であるが二つ折時の符号を紐結合部材本体ａ（１ａ）と紐結合部材本体ｂ（１ｂ）の重なりを紐結合部材本体（１）、切り欠きａ１（１１ａ）と切り欠きａ２（１１ｂ）との重なりを切り欠きａ（１１）、切り欠きｂ１（１２ａ）と切り欠きｂ２（１２ｂ）との重なりを切り欠きｂ（１２）、スリットａ１（１３ａ）とスリットａ２（１３ｂ）との重なりをスリットａ（１３）、スリットｂ１（１４ａ）とスリットｂ２（１４ｂ）との重なりをスリットｂ（１４）、面取りａ１（１７ａ）と面取りａ２（１７ｂ）との重なりを面取りａ（１７）、面取りｂ１（１８ａ）と面取りｂ２（１８ｂ）との重なりを面取りｂ（１８）、小穴ａ１（１５ａ）と小穴ａ２（１５ｂ）の重なりを小穴ａ（１５）、小穴ｂ１（１６ａ）と小穴ｂ２（１６ｂ）の重なりを小穴ｂ（１６）とする。
（１１）は紐（２）の一端（２ａ）を引っ掛ける切り欠きａで、紐（２）の一端（２ａ）を切り欠きａ（１１）に掛けたあと、スリットａ（１３）に掛止する。スリットａ（１３）の外形側には面取りａ（１７）を施し紐をスリットａ（１３）に掛止し易くしている。また、スリットａ（１３）の他端（内側）には小穴ａ（１５）を設けスリットａ（１３）のスリット端から破損しないようにしている。以上は図１（ｂ）、（ｃ）、（ｄ）に示す。紐（２）の他端（２ｂ）も切り欠きｂ（１２）に掛け、スリットｂ（１４）に掛止する。スリットｂ（１４）には前記スリットａ（１３）と同様に面取りｂ（１８）及び小穴ｂ（１６）を設けてある。この状態で紐（２）の一端（２ａ）及び他端（２ｂ）をそれぞれ矢印（２ｃ）と矢印（２ｄ）の方向に引っ張り、紐（２）の緩みを取り除き被結束物（３）が荷崩れを起こさないようにする。次に紐（２）の一端（２ａ）を結合部材本体（１）に巻き付ける方向に切り欠きａ（１１）を通過させ、スリットａ（１３）に掛止する。また紐（２）の他端（２ｂ）も同様に結合部材本体（１）に巻き付ける方向に切り欠きｂ（１２）を通過させ、スリットｂ（１４）に掛止する。以上は図１（ｅ）、（ｆ）に示す。以上のような手順で説明したが紐一端を先に最終工程まで作業を先に行ってから紐の他端を掛止しても良い。
実施形態１の紐結合部材は紐を結ぶことなく紐結合部材に引っ掛け、スリットに掛止するだけで紐の結合を行うことが出来る。
折り曲げて使用することで紐結合部材はそうでないものに比べて薄い材料で強度を確保することが出来るので加工の容易化ができる。
具体的には素材を１ｍｍ程度以下にすることができ金型の設備が不要でコスト的に安価なトムソン型で生産可能である。
【０００６】
【発明の効果】
本発明の紐結合部材は、紐を結ぶことなく切り欠きに紐を掛けてスリットに掛止するだけで紐を結合することができる。また、紐の緩みを締めて掛止することもでき被結束物の荷崩れを防止することができる。また製作も板状のプラスチックや厚紙などをプレス加工するだけでよく、安価に製造することができる。たとえば古新聞などを結束する際には結ぶのが不得手の人でも容易に紐を結合することができ、リサイクルなど能率をよくするのにも貢献できるものである。
【図面の簡単な説明】
【図１】は本発明の実施形態１における紐結束部材を示す図であり
（ａ）は被結束物を紐で縛った全体の斜視図
（ｂ）は斜視図
（ｃ）は紐を紐結合部材に結合する手順その１の斜視図
（ｄ）は紐を紐結合部材に結合する手順その２の斜視図
（ｅ）は紐を紐結合部材に結合する手順その３の斜視図
（ｆ）は紐を紐結合部材に結合する手順その４の斜視図
【図２】は本発明の実施の形態１における紐結合部材を示す図であり
（ａ）は展開の斜視図
（ｂ）は（ａ）を折り曲げるときの斜視図
【符号の説明】
１    紐結合部材本体              ２    紐
２ａ  紐の一端                    ２ｂ  紐の他端
３    被結束物
１１  切り欠きａ                  １２  切り欠きｂ
１３  スリットａ                  １４  スリットｂ
１５  小穴ａ                      １６  小穴ｂ
１７  面取りａ                    １８  面取りｂ
１ａ  紐結合部材本体ａ            １ｂ  紐結合部材本体ｂ
２２  折線
１１ａ  切り欠きａ１              １１ｂ  切り欠きａ２
１２ａ  切り欠きｂ１              １２ｂ  切り欠きｂ２
１３ａ  スリットａ１              １３ｂ  スリットａ２
１４ａ  スリットｂ１              １４ｂ  スリットｂ２
１５ａ  小穴ａ１                  １５ｂ  小穴ａ２
１６ａ  小穴ｂ１                  １６ｂ  小穴ｂ２
１７ａ  面取りａ１                １７ｂ  面取りａ２
１８ａ  面取りｂ１                １８ｂ  面取りｂ２
【図１】
0004159822.tif 000002
【図２】
0004159822.tif 000003